(57)【要約】【課題】包装箱のコンパクトを図ると共に，包装箱の積み重ね時には，それらの内部のデッドスペースを無くして，設置スペースの大幅な縮小を可能にする。【解決手段】主要部１と，この主要部１の一側面の中心からオフセットした箇所から突出した突起部２とを有する物品Ｂのための包装箱であって，一側壁１０に，互いに回転対称位置にあって突起部２の挿入を可能とする一対の開口部１３，１３を設け，内部には，主要部１を収容するに足る最小限の主スペースＳ１と，突起部２を収容し得る予備スペースＳ２とを設け，物品Ａを収容した二つの包装箱Ｂの重ね時には，各一方の開口部１３外に突出した物品の突起部２を相手包装箱Ｂの他方の開口部１３を通して予備スペースＳ２に収めるようにした。【選択図】　図３
2004131140.tif 000002
【特許請求の範囲】
【請求項１】
主要部（１）と，この主要部（１）の一側面の中心からオフセットした箇所から突出した突起部（２）とを有する物品（Ｂ）のための包装箱であって，
一側壁（１０）に，互いに回転対称位置にあって前記突起部（２）の挿入を可能とする一対の開口部（１３，１３）を設け，内部には，前記主要部（１）を収容するに足る最小限の主スペース（Ｓ１）と，前記突起部（２）を収容し得る予備スペース（Ｓ２）とを設けたことを特徴とする包装箱。
【請求項２】
請求項１記載の包装箱において，
前記一側壁（１０）には，前記開口部（１３，１３）を開閉する蓋片（１５）を一体に形成したことを特徴とする包装箱。
【発明の詳細な説明】
【０００１】
【発明の属する技術分野】
本発明は，一端面の中心からオフセットした箇所に突起部を有する物品のための包装箱に関する。
【０００２】
【従来の技術】
従来，一端面の中心からオフセットした箇所に突起部を有する物品を包装する場合，突起部を含む物品全体を収容し得る包装箱を使用していた。
【０００３】
【発明が解決しようとする課題】
しかしながら，突起部を含む物品全体を収容する包装箱は，内部に大きなデッドスペースができるため，大型となるを免れず，したがって物品を収容した複数の包装箱を積み重ねた場合には，デッドスペースが累積することにより，膨大な設置スペースを必要とすることになり，運送や格納時の費用が大きく嵩むという問題がある。
【０００４】
本発明は，かゝる事情に鑑みてなされたもので，コンパクトであり，しかも積み重ね時には内部のデッドスペースが無くなって，設置スペースの大幅な縮小を可能にする包装箱を提供することを目的とする。
【０００５】
【課題を解決するための手段】
上記目的を達成するために，本発明は，主要部と，この主要部の一側面の中心からオフセットした箇所から突出した突起部とを有する物品のための包装箱であって，一側壁に，互いに回転対称位置にあって前記突起部の挿入を可能とする一対の開口部を設け，内部には，前記主要部を収容するに足る最小限の主スペースと，前記突起部を収容し得る予備スペースとを設けたことを第１の特徴とする。
【０００６】
尚，前記一側壁は，後述する本発明の底壁１０に対応する。
【０００７】
この第１の特徴によれば，包装箱には，物品の主要部を収めて，その突起部を包装箱の一方の開口部外に突出させる。そして，このように物品を収容した二つの包装箱を積み重ねたとき，各包装箱の一方の開口部から突出した物品の突起部を，相手の包装箱の他方の開口部に挿入すれば，これを相手の包装箱内の予備スペースに収めることができる。したがって包装箱はコンパクトであると共に，包装箱の積み重ね時には，各包装箱の内部スペースに無駄が全く無くなることにより，その設置スペースを大幅に縮小し得て，格納及び運送費の削減を可能にする。
【０００８】
しかも各包装箱の開口部は，相手の包装箱によって閉鎖されるから，各開口部からの異物の侵入を防ぐことができる。
【０００９】
また各突起部が相手の包装箱の開口部に挿入されることで，重ねた二つの包装箱相互の位置決めが行われ，両者のずれを防ぐことができる。
【００１０】
また本発明は，第１の特徴に加えて，前記一側壁には，前記開口部を開閉する蓋片を一体に形成したことを第２の特徴とする。
【００１１】
この第２の特徴によれば，包装箱の不使用時でも，開口部を蓋片により閉鎖することにより，開口部からの異物の侵入を防ぐことができる。
【００１２】
【発明の実施の形態】
本発明の実施の形態を，添付図面に示す本発明の好適な実施例に基づいて説明する。
【００１３】
図１は本発明の第１実施例に係る包装箱及びそれに収容される物品の斜視図，，図２は上記包装箱内部の平面図，図３は上記包装箱の積み重ね時の作用説明図，図４は本発明の第２実施例を示す，図２との対応図である。
【００１４】
先ず，図１〜図３に示す本発明の第１実施例について説明する。
【００１５】
尚，この実施例では，包装箱Ｂの底壁１０に特徴があるので，図１及び図３は，包装箱Ｂを上下逆さにして示している。
【００１６】
物品Ｂは，厚肉平板状の主要部１と，この主要部１の一側面の中心からオフセットした箇所，図示例では一つのコーナー部から突出した突起部２とからなっている。
【００１７】
この物品Ｂのための包装箱Ｂは，方形の底壁１０，この底壁１０の四辺から立ち上がって互いに連結した四枚の囲い壁１１，１１…と，それらのうちの一枚の囲い壁１１の上縁に一体に連設されて，四枚の囲い壁１１，１１…の開放面を閉鎖し得る上蓋１２とから構成されており，上記底壁１０には，互いに回転対称位置を占めて，それぞれ物品Ｂの突起部２の貫通を可能にする一対の開口部１３，１３が設けられる。図示例の場合，一対の開口部１３，１３は，底壁１０の対角線上の一対のコーナー部に設けられる。
【００１８】
図２に示すように，包装箱Ｂの大きさは，その内部に，物品Ｂの主要部１を収容するに足る最小限の主スペースＳ１と，一つの前記開口部１３に対応して，物品Ｂの突起部２を収容するに足る最小限の予備スペースＳ２とを確保するように設定される。
【００１９】
この実施例の作用について説明する。
【００２０】
物品Ｂを包装箱Ｂに収容する際には，図３に示すように，突起部２を，底壁１０の一方の開口部１３から外部に突出させながら，主要部１を主スペースＳ１に収めて，上蓋１２を閉じる。
【００２１】
こうして物品Ｂを収容した二つの包装箱Ｂ，Ｂを重ねる際には，両包装箱Ｂ，Ｂの底壁１０，１０同士を向かい合わせながら，各開口部１３から突出した突起部２を，相手の底壁１０の空いた開口部１３に挿入して，それを相手の予備スペースＳ２に収める。こうして，二つの包装箱Ｂ，Ｂを重ねると，各底壁１０の開口部１３，１３は，相手の包装箱Ｂにより閉鎖されることになる。
【００２２】
このように，包装箱Ｂには，物品Ｂの主要部１の収容に足る最小限の主スペースＳ１と，物品Ｂの突起部２を収め得る予備スペースＳ２とを設け，物品Ｂを収容した二つの包装箱Ｂ，Ｂを積み重ねたとき，各包装箱Ｂの一方の開口部１３から突出した物品Ｂの突起部２が，相手の包装箱Ｂの予備スペースＳ２に収められるようにしたので，包装箱Ｂはコンパクトであると共に，二つの包装箱Ｂ，Ｂの重ね時には，各包装箱Ｂの内部スペースに無駄が全く無くなることにより，その設置スペースを大幅に縮小し得て，格納及び運送費の削減を可能にする。
【００２３】
しかも各包装箱Ｂの開口部１３，１３は，相手の包装箱Ｂによって閉鎖されるから，各開口部１３，１３からの異物の侵入を防ぐことができる。
【００２４】
また各突起部２が相手の包装箱Ｂの開口部１３に挿入されることで，重ねた二つの包装箱Ｂ，Ｂ相互の位置決めが行われ，両者のずれを防ぐことができる。
【００２５】
物品Ｂを収容した包装箱Ｂを多数積み重ねる場合には，上記のように重ねた二つの包装箱Ｂ，Ｂを順次積み重ねればよいことは言うまでもない。
【００２６】
次に，図４に示す本発明の第２実施例について説明する。
【００２７】
この第２実施例は，包装箱Ｂの底壁１０に，各開口部１３を開閉し得る複数の可撓性を有する蓋片１５，１５…を一体に形成したもので，これら蓋片１５，１５…は，通常自己の弾性により対応する開口部１３を閉鎖している。その他の構成は前実施例と同様であるので，図４中，前実施例と対応する部分には同一の参照符号を付して，その説明を省略する。
【００２８】
この第２実施例によれば，包装箱Ｂの不使用時でも，開口部１３，１３を蓋片１５，１５…により閉鎖することにより，開口部１３，１３からの異物の侵入を防ぐことができる。
【００２９】
本発明は上記実施例に限定されるものではなく，その要旨を逸脱しない範囲で種々の設計変更が可能である。例えば，開口部１３，１３は，上蓋１２に設けることもできる。また包装箱Ｂの素材は，ダンボール，発泡樹脂等，自由である。
【００３０】
【発明の効果】
以上のように本発明の第１の特徴によれば，主要部と，この主要部の一側面の中心からオフセットした箇所から突出した突起部とを有する物品のための包装箱であって，一側壁に，互いに回転対称位置にあって前記突起部の挿入を可能とする一対の開口部を設け，内部には，前記主要部を収容するに足る最小限の主スペースと，前記突起部を収容し得る予備スペースとを設けたので，包装箱はコンパクトであると共に，包装箱の積み重ね時には，各包装箱の内部スペースに無駄が全く無くなることにより，その設置スペースを大幅に縮小し得て，格納及び運送費の削減を可能にする。しかも各包装箱の開口部は，相手の包装箱によって閉鎖されるから，各開口部からの異物の侵入を防ぐことができる。また各突起部が相手の包装箱の開口部に挿入されることで，重ねた二つの包装箱相互の位置決めが行われ，両者のずれを防ぐことができる。
【００３１】
また本発明の第２の特徴によれば，第１の特徴に加えて，前記一側壁には，前記開口部を開閉する蓋片を一体に形成したので，包装箱の不使用時でも，開口部を蓋片により閉鎖することにより，開口部からの異物の侵入を防ぐことができる。
【図面の簡単な説明】
【図１】本発明の第１実施例に係る包装箱及びそれに収容される物品の斜視図。
【図２】上記包装箱内部の平面図。
【図３】図１に対応した作用説明図
【図４】本発明の第２実施例を示す，図２との対応図
【符号の説明】
Ａ・・・・・物品
Ｂ・・・・・包装箱
１・・・・・物品の主要部
２・・・・・物品の突起部
１０・・・・包装箱の一側壁（底壁）
１３・・・・開口部
１５・・・・蓋片
【図１】
2004131140.tif 000003
【図２】
2004131140.tif 000004
【図３】
2004131140.tif 000005
【図４】
2004131140.tif 000006